(57)【要約】【課題】ユーザがシフト値設定を簡便に行え、かつ省エネ効果を把握しやすい空調システムの制御装置、空調システム、空調システムの制御方法、及び空調システムの制御プログラムを提供することを目的とする。【解決手段】省エネ制御を行う空調システムの制御装置５０であって、設定温度のシフトを３段階以上の段階ごとに行う設定温度シフト制御における１段階目のシフト値であるシフト初期値を取得するユーザ入力値取得部５１と、シフト初期値に基づき２段階目以降の各シフト値を導出するシフト値導出部５２と、空調システムの電力消費量に基づき、現在の段階を判定する段階判定部５３と、現在の段階に対応するシフト値を設定し、シフト値を用いて空調システムを制御するシフト制御部５４と、を備え、シフト値は、段階数が上がるに従ってシフト値の絶対値が大きくなるように設定される。【選択図】図２
2020133928.tif 000002
【特許請求の範囲】
【請求項１】
省エネ制御を行う空調システムの制御装置であって、
設定温度のシフトを３段階以上の段階ごとに行う設定温度シフト制御における１段階目のシフト値であるシフト初期値を取得するユーザ入力値取得部と、
前記シフト初期値に基づき２段階目以降の各前記シフト値を導出するシフト値導出部と、
前記空調システムの電力消費量に基づき、現在の段階を判定する段階判定部と、
前記現在の段階に対応する前記シフト値を設定し、前記シフト値を用いて前記空調システムを制御するシフト制御部と、
を備え、
前記シフト値は、段階数が上がるに従って該シフト値の絶対値が大きくなるように設定される空調システムの制御装置。
【請求項２】
前記ユーザ入力値取得部は、前記設定温度シフト制御の制御形態であるシフト制御モードと、前記シフト制御モードに応じて用いられるシフト制御モード設定値と、を取得し、
前記シフト値導出部は、前記シフト初期値、前記シフト制御モード及び前記シフト制御モード設定値に基づき２段階目以降の各前記シフト値を導出する請求項１に記載の空調システムの制御装置。
【請求項３】
前記シフト制御モードは、前記シフト初期値の所定の倍数を２段階目以降の前記段階の前記シフト値とする倍数モード、または、前記シフト初期値と所定値との和を２段階目以降の前記段階の前記シフト値とする定数モードを含む請求項２に記載の空調システムの制御装置。
【請求項４】
前記倍数モードは、前記シフト制御モード設定値の（前記段階数−１）乗と前記シフト初期値との積を前記段階の前記シフト値とする請求項３に記載の空調システムの制御装置。
【請求項５】
前記定数モードは、（前記段階数−１）と前記シフト制御モード設定値の積と前記シフト初期値との和を前記段階の前記シフト値とする請求項３に記載の空調システムの制御装置。
【請求項６】
前記段階が最大段階数である場合は、前記シフト制御モードによらず前記空調システムの運転モードを送風モードとする請求項２から請求項５のいずれか１項に記載の空調システムの制御装置。
【請求項７】
前記段階数は、任意に設定が可能である請求項１から請求項６のいずれか１項に記載の空調システムの制御装置。
【請求項８】
請求項１から請求項７のいずれか１項に記載の空調システムの制御装置を備える空調システム。
【請求項９】
省エネ制御を行う空調システムの制御方法であって、
設定温度のシフトを３段階以上の段階ごとに行う設定温度シフト制御における１段階目のシフト値であるシフト初期値を取得するユーザ入力値取得工程と、
前記シフト初期値に基づき２段階目以降の前記シフト値を導出するシフト値導出工程と、
前記空調システムの電力消費量に基づき、現在の段階を判定する段階判定工程と、
前記現在の段階に対応する前記シフト値を設定し、前記シフト値を用いて前記空調システムを制御するシフト制御工程と、
を備え、
前記シフト値は、段階数が上がるに従って該シフト値の絶対値が大きくなるように設定される空調システムの制御方法。
【請求項１０】
省エネ制御を行う空調システムの制御プログラムであって、
設定温度のシフトを３段階以上の段階ごとに行う設定温度シフト制御における１段階目のシフト値であるシフト初期値を取得するユーザ入力値取得ステップと、
前記シフト初期値に基づき２段階目以降の前記シフト値を導出するシフト値導出ステップと、
前記空調システムの電力消費量に基づき、現在の段階を判定する段階判定ステップと、
前記現在の段階に対応する前記シフト値を設定し、前記シフト値を用いて前記空調システムを制御するシフト制御ステップと、
を備え、
前記シフト値は、段階数が上がるに従って該シフト値の絶対値が大きくなるように設定される空調システムの制御プログラム。
【発明の詳細な説明】
【技術分野】
【０００１】
本開示は、空調システムの制御装置、空調システム、空調システムの制御方法、及び空調システムの制御プログラムに関するものである。
【背景技術】
【０００２】
従来、空調システムにおいて、空調システムの消費電力が電力会社との契約電力（以下、「デマンド制限値」という）を超えないように、デマンド制御を行うことが提案されている。デマンド制御のための電力需要量の抑制には、例えば空調システムの消費する電力である消費電力の削減が行われる。
空調システムにおける消費電力の削減方法としては、空調システムの設定温度をシフト（冷房運転の場合、温度を上げるようにシフト、暖房運転の場合、温度を下げるようにシフト）する省エネ制御が提案されている。
【０００３】
設定温度のシフトについては、例えば特許文献１には、ファンの回転数に応じてシフト値を変更することが開示されている。また特許文献２には、赤外線センサ及び音センサの検出結果から在室者の活動量を判定し、活動量に基づきシフト値を設定することが開示されている。また特許文献３及び４には、吸込空気温度センサ及びリモコン温度センサの検出結果に基づき定められた温度シフト値を設定することが開示されている。
【０００４】
また、ユーザによりシフト値を任意に設定可能な空調システムも存在する。
【先行技術文献】
【特許文献】
【０００５】
【特許文献１】特開２０１７−７５７２７号公報
【特許文献２】特開２０１２−５７８１６号公報
【特許文献３】特開２０１１−８０６５３号公報
【特許文献４】特開２０１１−５８７２１号公報
【発明の概要】
【発明が解決しようとする課題】
【０００６】
しかしながら、上記特許文献１に開示された発明では、ファンの回転数に応じてシフト値を変更するものの、そのシフト値は固定値であり、また上記特許文献２乃至４に開示された発明では、シフト値が固定であるため、ユーザが所望する省エネ効果を得られない場合があるという問題があった。シフト値については事前に設定された値であるため、ユーザが省エネ効果を把握しづらいという問題があった。
【０００７】
また、省エネ制御が多段階制御である場合、段階が進むにつれて省エネ効果が高くなるようにシフト値を設定すべきである。しかし、ユーザによりシフト値を任意に設定可能な空調システムにおいては、そのように設定されるとは限らない。ユーザに対しては、段階が進むにつれて省エネ効果が高くなるようにシフト値を設定するよう注意喚起を行うのみで、空調システム側でシフト値を制御できないという問題があった。
【０００８】
本開示は、このような事情に鑑みてなされたものであって、ユーザがシフト値設定を簡便に行え、かつ省エネ効果を把握しやすい空調システムの制御装置、空調システム、空調システムの制御方法、及び空調システムの制御プログラムを提供することを目的とする。
【課題を解決するための手段】
【０００９】
上記課題を解決するために、本開示の空調システムの制御装置、空調システム、空調システムの制御方法、及び空調システムの制御プログラムは以下の手段を採用する。
本開示の幾つかの実施形態における一態様に係る空調システムの制御装置は、省エネ制御を行う空調システムの制御装置であって、設定温度のシフトを３段階以上の段階ごとに行う設定温度シフト制御における１段階目のシフト値であるシフト初期値を取得するユーザ入力値取得部と、前記シフト初期値に基づき２段階目以降の各前記シフト値を導出するシフト値導出部と、前記空調システムの電力消費量に基づき、現在の段階を判定する段階判定部と、前記現在の段階に対応する前記シフト値を設定し、前記シフト値を用いて前記空調システムを制御するシフト制御部と、を備え、前記シフト値は、前記段階数が上がるに従って該シフト値の絶対値が大きくなるように設定される。
【００１０】
本態様によれば、ユーザがシフト初期値を設定することにより、設定温度シフト制御におけるシフト値が自動で決定されるため、ユーザによる設定を簡便にすることができる。また、所望する制御をユーザ自身が設定可能なため、ユーザの要望に応じた設定を行える環境を提供することができる。
また、シフト値は、設定温度シフト制御において段階数が上がるに従って値が大きくなるように設定されることにより、段階が進むにつれて省エネ効果を大きくすることができる。また、ユーザは段階数から省エネ効果の大きさを推測することができ、ユーザが省エネ効果を容易に把握可能である。
【００１１】
上記態様では、前記ユーザ入力値取得部は、前記設定温度シフト制御の制御形態であるシフト制御モードと、前記シフト制御モードに応じて用いられるシフト制御モード設定値と、を取得し、前記シフト値導出部は、前記シフト初期値、前記シフト制御モード及び前記シフト制御モード設定値に基づき２段階目以降の各前記シフト値を導出するとしてもよい。
【００１２】
本態様によれば、ユーザがシフト初期値と、シフト制御モードと、シフト制御モード設定値を設定することにより、設定温度シフト制御におけるシフト値が自動で決定されるため、複雑な制御を行うことなく設定温度のシフトを行うことができる。またユーザは最小の設定のみを行えばよいため、設定を簡便なものとすることができる。また、所望する制御をユーザ自身が設定可能なため、ユーザの要望に応じた設定を行える環境を提供することができる。
【００１３】
上記態様では、前記シフト制御モードは、前記シフト初期値の所定の倍数を２段階目以降の前記段階の前記シフト値とする倍数モード、または、前記シフト初期値と所定値との和を２段階目以降の前記段階の前記シフト値とする定数モードを含むとしてもよい。
【００１４】
本態様によれば、倍数モードまたは定数モードのいずれかをシフト制御モードに設定可能なため、ユーザが所望する制御に応じたシフト値の絶対値の増加傾向とすることができる。
【００１５】
上記態様では、前記倍数モードは、前記シフト制御モード設定値の（前記段階数−１）乗と前記シフト初期値との積を前記段階の前記シフト値とするとしてもよい。
【００１６】
本態様によれば、シフト初期値、シフト制御モード設定値及び段階数から自動的にシフト値を導出し、設定するため、複雑な制御を行うことなく設定温度のシフトを行うことができる。
【００１７】
上記態様では、前記定数モードは、（前記段階数−１）と前記シフト制御モード設定値の積と前記シフト初期値との和を前記段階の前記シフト値とするとしてもよい。
【００１８】
本態様によれば、シフト初期値、シフト制御モード設定値及び段階数から自動的にシフト値を導出し、設定するため、複雑な制御を行うことなく設定温度のシフトを行うことができる。
【００１９】
上記態様では、前記段階が最大段階数である場合は、前記シフト制御モードによらず前記空調システムの運転モードを送風モードとするとしてもよい。
【００２０】
本態様によれば、最大段階数である最終段階については、冷房運転又は暖房運転よりも省エネ効果の高い送風運転とすることができる。よって、より省エネ効果を高めることができる。
【００２１】
上記態様では、前記段階数は、任意に設定が可能であるとしてもよい。
【００２２】
本態様によれば、段階数は任意に設定が可能であることから、ユーザが所望する制御に応じて段階数を多くしてきめ細かい制御としたり、段階数を少なくして設定温度シフトを減らした制御としたりすることができる。
【００２３】
本開示の幾つかの実施形態における一態様に係る空調システムは、前述のいずれかに記載の空調システムの制御装置を備える。
【００２４】
本開示の幾つかの実施形態における一態様に係る空調システムの制御方法は、省エネ制御を行う空調システムの制御方法であって、設定温度のシフトを３段階以上の段階ごとに行う設定温度シフト制御における１段階目のシフト値であるシフト初期値を取得するユーザ入力値取得工程と、前記シフト初期値に基づき２段階目以降の前記シフト値を導出するシフト値導出工程と、前記空調システムの電力消費量に基づき、現在の前記段階を判定する段階判定工程と、前記現在の段階に対応する前記シフト値を設定し、前記シフト値を用いて前記空調システムを制御するシフト制御工程と、を備え、前記シフト値は、前記段階数が上がるに従って該シフト値の絶対値が大きくなるように設定される。
【００２５】
本開示の幾つかの実施形態における一態様に係る空調システムの制御プログラムは、省エネ制御を行う空調システムの制御プログラムであって、設定温度のシフトを３段階以上の段階ごとに行う設定温度シフト制御における１段階目のシフト値であるシフト初期値を取得するユーザ入力値取得ステップと、前記シフト初期値に基づき２段階目以降の前記シフト値を導出するシフト値導出ステップと、前記空調システムの電力消費量に基づき、現在の前記段階を判定する段階判定ステップと、前記現在の段階に対応する前記シフト値を設定し、前記シフト値を用いて前記空調システムを制御するシフト制御ステップと、を備え、前記シフト値は、前記段階数が上がるに従って該シフト値の絶対値が大きくなるように設定される。
【発明の効果】
【００２６】
本開示によれば、ユーザ設定によりシフト値を可変とするので、ユーザの所望する省エネ制御を行うことができる。
また、段階数が上がるに従いシフト値が大きくなるように設定されるので、段階が進むにつれて省エネ効果を大きくすることができる。
【図面の簡単な説明】
【００２７】
【図１】幾つかの実施形態に係る空調システムの一態様を示した概要図である。
【図２】幾つかの実施形態に係る空調システムの制御装置の一態様を示したブロック図である。
【図３】幾つかの実施形態に係る空調システムの制御装置の制御の一態様を示したフローチャートである。
【図４】幾つかの実施形態に係る空調システムの制御装置による冷房時の設定温度シフト制御の一態様を示した図である。
【発明を実施するための形態】
【００２８】
以下に、本開示の幾つかの実施形態に係る空調システムの制御装置、空調システム、空調システムの制御方法、及び空調システムの制御プログラムの各実施形態について、図面を参照して説明する。
【００２９】
図１には、本開示の幾つかの実施形態に係る空調システムの一態様の概略構成が示されている。
図１に示されるように、空調システム１は、集中制御装置（制御装置）５０、デマンドコントローラ３０、各室内機７、リモコン（リモートコントローラ）６０を主な構成として備えている。ここで、図１において、室内機７は、集中制御装置５０に対し３台が並列に接続された構成が示されているが、室内機７の台数は問わない。室内機７は、２台以上の複数台であってもよいし、１台であってもよい。
【００３０】
集中制御装置５０は、例えば、ＣＰＵ（Central  Processing  Unit）、ＲＡＭ（Random  Access  Memory）、ＲＯＭ（Read  Only  Memory）、及びコンピュータ読み取り可能な非一時的な記憶媒体等から構成されている。そして、各種機能を実現するための一連の処理は、一例として、プログラムの形式で記憶媒体等に記憶されており、このプログラムをＣＰＵがＲＡＭ等に読み出して、情報の加工・演算処理を実行することにより、各種機能が実現される。なお、プログラムは、ＲＯＭやその他の記憶媒体に予めインストールしておく形態や、コンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００３１】
集中制御装置５０は、各室内機７の監視、操作、制御を行う。また本実施形態では、集中制御装置５０は、室内機７の省エネ制御および後述する設定温度シフト制御を行うものとする。
【００３２】
デマンドコントローラ３０は、空調システム１の消費電力が電力会社との契約電力であるデマンド制限値を超えないように、デマンド制御を行う制御装置である。
【００３３】
リモコン６０は、ユーザが各室内機７の運転操作を行う際に用いられる。図１において、リモコン６０は、ワイヤレスリモコンとされているが、ワイヤードリモコンであってもよい。
【００３４】
各室内機７は、集中制御装置５０により操作及び制御が行われる。また、リモコン６０を介して、ユーザによる温度、風量、運転モード（冷房、暖房、除湿、送風など）、湿度などの設定、操作が行われる。
【００３５】
空調システム１において、省エネ制御を行う場合、ユーザはデマンドコントローラ３０を用いてデマンド制御を行うよう設定を行う。本実施形態では、デマンド制御において、空調システム１の対象の室内機７の設定温度のシフトを行う設定温度シフト制御を行うものとする。
【００３６】
図２には、本開示の幾つかの実施形態に係る空調システムの制御装置の一態様が示されている。また図３には、本開示の幾つかの実施形態に係る空調システムの制御装置の制御の一態様がフローチャートに示されている。
図２に示されるように、集中制御装置５０は、ユーザ入力値取得部５１と、シフト値導出部５２と、段階判定部５３と、シフト制御部５４と、を備える。
集中制御装置５０に備えられる各部の機能による設定温度シフト制御について、図３のフローチャートに沿って説明する。
【００３７】
まず、設定温度シフト制御が開始される（Ｓ２０１）。設定温度シフト制御の開始及び終了は、デマンドコントローラ３０にてユーザにより設定されるが、例えば集中制御装置５０、リモコン６０を介して設定されるとしてもよい。
【００３８】
設定温度シフト制御が開始されると、ユーザ入力値取得部５１は、ユーザが入力したユーザ入力値を取得する（Ｓ２０２）。
ユーザは、リモコン６０、集中制御装置５０及びデマンドコントローラ３０のいずれかを介して、設定温度シフト制御を行うにあたり、所定の値を入力する。ユーザが入力する値は、設定温度シフト制御における１段階目のシフト値であるシフト初期値、設定温度シフト制御の制御形態であるシフト制御モード、及び、シフト制御モードに応じて用いられるシフト制御モード設定値である。ここで、シフト制御モード及びシフト制御モード設定値は、事前に固定値を設定されるとしてもよい。
また、設定温度シフト制御の段階数については、通常、「３」が設定されているとするが、４以上の値であってもよい。またユーザが設定温度シフト制御の段階数を入力するとしてもよい。ここで、段階数については、３以上の段階数が設定可能であるとする。
【００３９】
次に、シフト値導出部５２は、ユーザ入力値取得部５１が取得したユーザ入力値から、シフト制御モードを取得し選択する（Ｓ２０３）。またシフト値導出部５２は、現在の室内機７の運転モード（冷房、暖房、除湿など）を取得しておく。
シフト制御モードとしては、例えば、シフト初期値の所定の倍数（シフト制御モード設定値）を２段階目以降の段階のシフト値とする倍数モードや、シフト初期値と所定値（シフト制御モード設定値）との和を２段階目以降の段階のシフト値とする定数モードが設定される。
また、シフト制御モードにおいて、倍数モード及び定数モードに加えて、送風モードを加えることも可能である。送風モードを追加した場合は、設定温度シフト制御の段階が最大段階、すなわち最後の段階のみ、設定温度のシフトではなく運転モードを送風モードによる運転が行われる。
【００４０】
次に、シフト値導出部５２は、ユーザ入力値取得部５１から取得したシフト初期値、シフト制御モード、シフト制御モード設定値、及び段階数に基づき、各段階ごとのシフト値を導出し、設定する（Ｓ２０４）。
図４には、本開示の幾つかの実施形態に係る空調システムの制御装置による冷房時の設定温度シフト制御の一態様が示されている。
【００４１】
＜シフト制御モードが倍数モードの場合＞
図４のＮｏ．１は、ユーザがシフト初期値を「２」（℃）、シフト制御モードを「倍数モード」、シフト制御モード設定値を「２」とした場合を示す。
第１段階のシフト値には、シフト初期値である「２」が設定される。
２段階目以降の段階のシフト値は、シフト制御モード設定値の（段階数−１）乗とシフト初期値との積が設定される。すなわち、２段階目以降の段階のシフト値は、以下の式（１）で表される。
（第ｎ段階のシフト値）＝（シフト制御モード設定値）（ｎ−１）×（シフト初期値）
・・・（１）
（１）式において、ｎ≧２かつｎは整数値である。また、シフト制御モード設定値は１より大きい値であり、シフト初期値は０より大きい値である。
よって、第２段階のシフト値は４、第３段階のシフト値は８がそれぞれ設定される。
このように、シフト値は、段階数が上がるに従って、シフト値の絶対値が大きくなるように設定される。すなわち、段階の数が大きいほど、省エネ運転が行われることとなる。
【００４２】
＜シフト制御モードが定数モードの場合＞
図４のＮｏ．２は、ユーザがシフト初期値を「２」（℃）、シフト制御モードを「定数モード」、シフト制御モード設定値を「１」とした場合を示す。
第１段階のシフト値には、シフト初期値である「２」が設定される。
２段階目以降の段階のシフト値は、（段階数−１）とシフト制御モード設定値の積とシフト初期値との和が設定される。すなわち、２段階目以降の段階のシフト値は、以下の式（２）で表される。
（第ｎ段階のシフト値）＝（ｎ−１）（シフト制御モード設定値）＋（シフト初期値）
・・・（２）
（２）式において、ｎ≧２かつｎは整数値である。また、シフト制御モード設定値およびシフト初期値は０より大きい値である。
よって、第２段階のシフト値は３、第３段階のシフト値は４がそれぞれ設定される。
このように、シフト値は、段階数が上がるに従って、シフト値の絶対値が大きくなるように設定される。すなわち、段階の数が大きいほど、省エネ運転が行われることとなる。
【００４３】
＜シフト制御モードが定数モード＋送風モードの場合＞
図４のＮｏ．３は、ユーザがシフト初期値を「２」（℃）、シフト制御モードを「定数モード＋送風（モード）」、シフト制御モード設定値を「１」とした場合を示す。すなわち、Ｎｏ．３は、シフト制御モードにおいて、定数モードに送風モードを追加設定した場合である。
第１段階及び第２段階については、定数モードにてシフト値が設定される。
第３段階については、最大段階数であることから、シフト値は設定されず、送風モードによる運転が行われる。
【００４４】
上記のシフト値導出部５２によるシフト値の設定は、冷房時における設定であるが、除湿時も同様に設定される。また暖房時は、シフト初期値および導出された各シフト値に−１を乗算した値を設定する。
または、冷房および除湿時は温度を上げる方向に導出されたシフト値にて設定温度をシフトさせ、暖房時は温度を下げる方向に導出されたシフト値にて設定温度をシフトさせるとしてもよい。
【００４５】
次に、段階判定部５３は、空調システム１の電力消費量に基づき、現在の段階を判定する（Ｓ２０５）。
設定温度シフト制御における段階数に応じて、各段階が切り替わる電力消費量の閾値がそれぞれ設定される。段階判定部５３は、空調システム１の現在の電力消費量を取得し、その電力消費量がいずれの段階に対応するかを判定する。
【００４６】
次に、シフト制御部５４は、段階判定部５３が判定した現在の段階に基づきシフト値導出部５２が設定したシフト値を選択し、そのシフト値を用いて対象の室内機７の設定温度をシフトするよう空調システム１を制御する（Ｓ２０６）。
例えば、冷房運転において図４のＮｏ．１のユーザ入力値が設定されており、段階判定部５３が現在の段階が第２段階であると判定すると、シフト制御部５４は、シフト値が４（℃）であるとし、対象の室内機７の設定温度を４℃シフト（設定温度＋４℃）する。
室内機７が複数ある場合の対象の室内機７の選択方法は、事前に室内機７に優先度を設けておく、空調運転の必要性の低い室内機７から選択する、等が考えられるが、いずれの方法を採ってもよい。
【００４７】
以上のステップＳ２０１乃至ステップＳ２０６の設定温度シフト制御を行っても、空調システム１の電力消費量が増加する場合は、引き続き設定温度シフト制御を行う（Ｓ２０７）。
【００４８】
以上、説明してきたように、本実施形態に係る空調システムの制御装置、空調システム、空調システムの制御方法、及び空調システムの制御プログラムによれば、以下の作用効果を奏する。
本態様によれば、ユーザがシフト初期値を設定することにより、設定温度シフト制御におけるシフト値が自動で決定されるため、ユーザによる設定を簡便にすることができる。また、所望する制御をユーザ自身が設定可能なため、ユーザの要望に応じた設定を行える環境を提供することができる。
また、シフト値は、設定温度シフト制御において段階数が上がるに従って値が大きくなるように設定されることにより、段階が進むにつれて省エネ効果を大きくすることができる。また、ユーザは段階数から省エネ効果の大きさを推測することができ、ユーザが省エネ効果を容易に把握可能である。
【００４９】
また本態様によれば、ユーザがシフト初期値と、シフト制御モードと、シフト制御モード設定値を設定することにより、設定温度シフト制御におけるシフト値が自動で決定されるため、複雑な制御を行うことなく設定温度のシフトを行うことができる。またユーザは最小の設定のみを行えばよいため、設定を簡便なものとすることができる。また、所望する制御をユーザ自身が設定可能なため、ユーザの要望に応じた設定を行える環境を提供することができる。
【００５０】
また本態様によれば、倍数モードまたは定数モードのいずれかをシフト制御モードに設定可能なため、ユーザが所望する制御に応じたシフト値の絶対値の増加傾向とすることができる。
【００５１】
また本態様によれば、シフト初期値、シフト制御モード設定値及び段階数から自動的に倍数モードに従ったシフト値を導出し、設定するため、複雑な制御を行うことなく設定温度のシフトを行うことができる。
【００５２】
また本態様によれば、シフト初期値、シフト制御モード設定値及び段階数から自動的に定数モードに従ったシフト値を導出し、設定するため、複雑な制御を行うことなく設定温度のシフトを行うことができる。
【００５３】
また本態様によれば、最大段階数である最終段階については、冷房運転又は暖房運転よりも省エネ効果の高い送風運転とすることができる。よって、より省エネ効果を高めることができる。
【００５４】
また本態様によれば、段階数は任意に設定が可能であることから、ユーザが所望する制御に応じて段階数を多くしてきめ細かい制御としたり、段階数を少なくして設定温度シフトを減らした制御としたりすることができる。
【００５５】
以上、本発明の実施形態について図面を参照して詳述してきたが、具体的な構成はこの実施形態に限られるものではない。例えば、図１においては、集中制御装置５０及びデマンドコントローラ３０がそれぞれ備えられた空調システム１を示したが、上記制御が行える構成であれば、この構成以外であってもよい。例えば、デマンドコントローラ３０の機能が集中制御装置５０に備えられていてもよい。あるいは、設定温度シフト制御は、集中制御装置５０ではなく、例えば室外機に備えられた制御装置にて行われる、としてもよい。また集中制御装置５０が複数備えられた空調システム１であってもよい。
【００５６】
また、各段階の設定は、上述した以外の設定としてもよい。例えば、デマンドコントローラ３０を用いる場合は、デマンド制限値に基づき自動で変更されるとしてもよい。また、空調システム１に対しスケジュール設定を行っている場合は、スケジュールに従い段階を変更するとしてもよい。
【符号の説明】
【００５７】
１  空調システム
７  室内機
３０  デマンドコントローラ
５０  集中制御装置（制御装置）
５１  ユーザ入力値取得部
５２  シフト値導出部
５３  段階判定部
５４  シフト制御部
６０  リモコン
【図１】
2020133928.tif 000003
【図２】
2020133928.tif 000004
【図３】
2020133928.tif 000005
【図４】
2020133928.tif 000006